(57)【要約】【課題】貝類が外敵から身を守りやすい構造の経済的な藻礁であって、砂場に敷設されても製品寿命が長い藻礁を提供すること。【解決手段】貝類育成用藻礁１００は、海底に載置させる底板１０１と、底板１０１から鉛直上方に延伸し、藻礁ユニット１０３の位置と姿勢を規制するユニットガイド１０２と、ユニットガイド１０２を介して複数積層させた際に、くさび状の空隙ができるように傾斜面が設けられた藻礁ユニット１０３と、を具備する。【選択図】        図１
2004187538.tif 000002
【特許請求の範囲】
【請求項１】
海底に載置させる底板体と、
底板体から鉛直上方に延伸し、藻礁ユニット体の位置および姿勢を規制する規制手段と、
規制手段を介して複数積層させた際に、くさび状の空隙ができるように傾斜面が設けられた藻礁ユニット体と、
を具備したことを特徴とする貝類育成用藻礁。
【請求項２】
メッシュ金網を用いて藻礁ユニット体の表面に凹凸を設けたことを特徴とする請求項１に記載の貝類育成用藻礁。
【請求項３】
藻礁ユニット体をコンクリート製とし、その表面に硫酸第一鉄層を設けたことを特徴とする請求項１または２に記載の貝類育成用藻礁。
【請求項４】
藻礁ユニット体を鉛直方向につぶれた扁平形状とするとともに、上方から見た場合の外縁を多角形形状とし、
少なくとも隣り合う上下二つの藻礁ユニット体を、上方から見て重なり合わないようにずらして積層させたことを特徴とする請求項１、２または３に記載の貝類育成用藻礁。
【発明の詳細な説明】
【０００１】
【発明の属する技術分野】
本発明は、貝類育成用藻礁に関し、特に、アワビやサザエなどの貝類の餌となる藻を好適に育成し、同時にタコやタイなどの外敵から貝類が身を守りやすい構造の貝類育成用藻礁に関する。
【０００２】
【従来の技術】
従来より、様々な魚礁や藻礁が考案されている。魚礁としては内部に空間を設けた立方体形をはじめとし、隠れ家となるような形状や海流に変化を持たせるものなど各種の形状が考案されている。また、魚礁を発展させ、藻場を形成すべく各種の藻礁も考案されている。藻礁は、それ自体の構造と、群生した藻の流動的な形態により、魚が住み着きやすい環境となっている。藻場は、魚の育成場としての機能にとどまらず、アラメやカジメなどの藻自体を餌とするアワビ、サザエ、ウニなどの育成場としても機能する。
【０００３】
このように、従来では、魚礁や藻礁により、魚類や貝類の育成、すなわち、栽培漁業が可能となっていた。
【０００４】
【特許文献１】
特開２０００−３１６４１４号公報
【特許文献２】
特開２００１−２９９１２８号公報
【特許文献３】
特開２００２−１７１９８号公報
【０００５】
【発明が解決しようとする課題】
しかしながら、従来の技術では以下の問題点があった。
従来の藻礁は、魚礁から発展しているため、貝類育成を中心として設計された藻礁は存在していなかった。具体的には、貝類がむき出しとなり、タコやイシダイなどの外敵から身を守りやすい構造となっていないという問題点があった。
【０００６】
また、磯焼け対策の素材としては鉄鋼材が好適であるが、重量がかさむため船による沈設負担が大きくなるという問題点があった。また、鉄鋼材では安価な藻礁を供給できないという問題点があった。一方、コンクリート素材で同様の藻礁を構築した場合には、上記二つの問題点は低減されるものの、表面からのアルカリ流出により、良好な藻場が形成されないという問題点があった。
【０００７】
また、もともと岩場には貝類が豊富に生育するため、栽培漁業の観点からは下地が砂であるような場所にも藻礁を構築できることが好ましい。特に、河口近くは、山から豊富な栄養が流れ込むので、身の詰まったおいしい貝類、換言すれば、高付加価値の貝類を育成でき沈設場所としては特に好ましい。
【０００８】
しかしながら、下地が砂である場合には海流や潮の満ち引きの影響により次第に藻礁が沈降したり、本来貝類が付着すべき面に砂が積もってしまったりするという問題点があった。藻礁を河口近海に沈設する場合には、この影響が特に著しい。このとき、藻礁を埋まっている分だけ引き上げて載置し直したり揺さぶったりすれば問題は解決するが、著しい作業負担を強いられてしまうため、現実的ではない。従って、砂場に敷設する場合には藻礁の寿命が短くなるという問題点があった。
【０００９】
本発明は上記に鑑みてなされたものであって、貝類が外敵から身を守りやすい構造の経済的な藻礁であって、砂場に敷設されても製品寿命が長い藻礁を提供することを目的とする。
【００１０】
また、貝類の餌となる良好な藻場を経済的に提供できることを目的とする。
【００１１】
【課題を解決するための手段】
上記の目的を達成するために、請求項１に記載の貝類育成用藻礁は、海底に載置させる底板体と、底板体から鉛直上方に延伸し、藻礁ユニット体の位置および姿勢を規制する規制手段と、規制手段を介して複数積層させた際に、くさび状の空隙ができるように傾斜面が設けられた藻礁ユニット体と、を具備したことを特徴とする。
【００１２】
すなわち、請求項１にかかる発明は、ユニットにより分解運搬が可能で搬送負担が低減し、規制手段のガイドにより造成負担が低減し、貝類の外敵から影響を受けにくい狭い空隙を構築するとともに傾斜面により砂の積層を防止する。
【００１３】
従って、貝類が外敵から身を守りやすい構造の経済的な藻礁であって、砂場に敷設されても製品寿命が長い藻礁を提供できる。なお、藻礁ユニット体を増減させることにより、使用環境に適した藻場を簡便に構築できる。なお、ここでいう貝類には、アワビやサザエなどの高付加価値の貝類が含まれる。また、条件によっては岩牡蠣やウニを育成することもできる。なお、外敵とは、石鯛、タコ、イカなど貝類を食する魚類などをいう。
【００１４】
また、請求項２に記載の貝類育成用藻礁は、請求項１に記載の貝類育成用藻礁において、メッシュ金網を用いて藻礁ユニット体の表面に凹凸を設けたことを特徴とする。
【００１５】
すなわち、請求項２にかかる発明は、容易に加工できるメッシュ金網を用いて磯焼けの原因である鉄分不足をおぎなうことができ、また、表面の凹凸により藻の付着が促進される。
【００１６】
従って、請求項１にかかる発明による効果に加えて更に、貝類の餌となる良好な藻場を経済的に提供できる。
【００１７】
また、請求項３に記載の貝類育成用藻礁は、請求項１または２に記載の貝類育成用藻礁において、藻礁ユニット体をコンクリート製とし、その表面に硫酸第一鉄層を設けたことを特徴とする。
【００１８】
すなわち、請求項３にかかる発明は、コンクリート素材により経済的な藻礁ユニット体を形成でき、硫酸第一鉄によりアルカリ流出を抑制する。また、硫酸第一鉄層を厚くすることにより、周囲の磯焼けを改善することも可能となる。
【００１９】
また、請求項４に記載の貝類育成用藻礁は、請求項１、２または３に記載の貝類育成用藻礁において、藻礁ユニット体の鉛直方向につぶれた扁平形状とするとともに、上方から見た場合の外縁を多角形形状とし、少なくとも隣り合う上下二つの藻礁ユニット体を、上方から見て重なり合わないようにずらして積層させたことを特徴とする。
【００２０】
すなわち、請求項４にかかる発明は、藻礁にあたる光の面積が広くなるため、藻が繁茂しやすくなるとともに、多様な大きさと厚みの隙間が自ずと形成され個々の貝類に適した生育場が形成される。なお、ずらして積層させるとは、例えば、藻礁ユニット体を４角形のリング状とし、これを、４５度ずつずらして積層させる方法が挙げられる。
【００２１】
【発明の実施の形態】
以下、本発明の実施の形態を図面を参照しながら詳細に説明する。
図１は、本発明の貝類育成用藻礁の概観斜視図である。図２は、本発明の貝類育成用藻礁の平面図と正面図である。図示したように、貝類育成用藻礁１００は、底板１０１と、ユニットガイド１０２と、藻礁ユニット１０３により構成される。
【００２２】
底板１０１は、貝類育成用藻礁１００を海底に載置させる台座である。ユニットガイド１０２は、底板１０１から鉛直上方に延伸し、藻礁ユニット１０３の位置および姿勢を規制する。本実施の形態では、底板１０１を鉄筋コンクリート製とし、ユニットガイド１０２にはＨ鋼を使用している。また、ユニットガイド１０２の下部は底板１０１に埋設され一体的に形成されている。
【００２３】
図３は、底板１０１とユニットガイド１０２の構成を示した図である。図示したように、底板１０１には、上下縦横斜めに鉄筋１１１が張られている。これにより底板１０１の強度を向上させている。また、底板１０１には、吊り筋１１２が設けられている。吊り筋１１２は、底板１０１を海底に沈設する際に船上からワイヤーがけして使用する。また、沈設後数年経過し、貝類育成用藻礁１００が砂に埋まった場合など、貝類育成用藻礁１００を載置し直す場合にも吊り筋１１２を使用する。なお、吊り筋１１２はできるだけ海水により腐食しない素材が好ましい。
【００２４】
ユニットガイド１０２は、鋼板１２１に溶接され、この鋼板１２１を介して底板１０１の内側に４本立設されている。Ｈ鋼を用いることにより、強度を維持しつつ軽量な貝類育成用藻礁１００を構築可能となる。また、Ｈ鋼を用いることにより鉄イオンが放散され、藻の育成に必要な鉄分が供給されることになる。なお、本実施の形態では、ユニットガイド１０２を底板１０１の内側に設けたが、藻礁ユニット１０３を積層した場合に、その位置と姿勢が規制されるのであれば外側に配置する態様であっても良い。また、本実施の形態では底板１０１とユニットガイド１０２を一体的に構成したが、別体であることを妨げない。例えば底板１０１を厚みのある５円玉形状にして、穴の部分にユニットガイド１０２を柱のように立てても良い。
【００２５】
図４は、藻礁ユニット１０３の構造を示した図である。図示したように、本実施の形態では、藻礁ユニット１０３は、底板１０１と同様に鉄筋コンクリート製であり、鉛直方向につぶれた扁平な四角形のリング形状としている。符号１３１は鉄筋を示す。また、藻礁ユニット１０３は、片側に傾斜（傾斜部１３２）が設けられており、積層させた場合に、傾斜部１３２と平面部１３３との間にくさび状の空間が形成される構造となっている。更に、藻礁ユニット１０３は、少なくとも隣り合う上方二つが重なり合わないように鉛直上方から見て４５度ずつずらして積層させている（図１参照）。
【００２６】
このように、リング状とすることにより、ユニットガイド１０２を介して藻礁ユニット１０３を容易に積み重ねることが可能となり、また、傾斜により貝類が外敵から身を守りやすいくさび状の空隙が形成される。また、互い違いに積み重ねることにより藻場が効率的に形成され、変化に富む藻礁となる。なお、藻礁ユニット１０３には吊り輪１３４が設けられている。吊り輪１３４は、吊り筋１１２と同様な機能を果たし、藻礁ユニット１０３をユニットガイド１０２を介して積み重ねる際に使用し、また、貝類育成用藻礁１００の沈設後数年経過し、貝類育成用藻礁１００を組み直す際のつり上げに使用する。吊り輪１３４はできるだけ海水により腐食しない素材が好ましい。
【００２７】
藻礁ユニット１０３の表面には、メッシュ金網を用いた凹凸が設けられている。図５は、本実施の形態で用いるメッシュ金網の概観図および拡大図である。本実施の形態で用いるメッシュ金網１３５は、溶融亜鉛メッキ鋼帯（ＪＩＳ  Ｇ３３０２  Ｚ０８同等品）を用いて作成されたものである。メッキ部分は適宜そぎ落とし、鉄分を含む鋼をむき出しにしても良い。また、使用の態様によっては、もともとメッキを施さない鋼帯を用いても良い。鋼の部分が海水に露出することにより磯焼けが防止され、藻の好適な成長を促進させる。
【００２８】
図示したように、メッシュ金網１３５は、リブ１３６と横ストランド１３７を設け、編み目構造を形成している。これにより、藻礁ユニット１０３の表面積が大きくなり、藻の根付きが良くなる。また、メッシュ構造とすることにより、一定の強度を維持したまま加工性も向上する。藻礁ユニット１０３の製作の際には、型の底面や周囲にあらかじめメッシュ金網１３５を敷き、ついでコンクリートを打ち込む方法を採用できる。また、これに限らず、コンクリートが固化してから周囲に覆う態様であっても良い。また、本実施の形態ではメッシュ金網１３５は、鋼帯から作成したが、使用の態様によっては、通常の金網であっても良い。
【００２９】
藻礁ユニット１０３の表面には硫酸第一鉄（ＦｅＳＯ４）を吹き付ける。硫酸第一鉄を吹き付け、硫酸第一鉄の層を設けることにより、コンクリートのアルカリ流出を防ぐとともに、藻や微生物に必要な栄養分を供給することができる。なお、アルカリの影響を低減する方法としては、例えば、低アルカリ型のポルトランドセメントを用いてもよい。また、磯焼け防止には、硫酸第一鉄以外にも硫酸第二鉄を用いることもできる。
【００３０】
次に、実際に海底に沈設する場合について説明する。図６は、貝類育成用藻礁１００を複数海底に沈設した様子を示した説明図である。図示したように、底板１０１を千鳥状に複数列配置することにより、海流に変化を持たせ、良好な藻場を形成することができる。底板１０１を相互に接触させて貝類育成用藻礁１００の安定化をはかることができる。また、底板１０１と藻礁ユニット１０３の一部が４５度ずれているので、貝類が大型の外敵から身を守りやすいジグザグの隙間５０１が形成される。
【００３１】
以上の説明では、藻礁ユニット１０３の傾斜部１３２を上側として積み上げたが、使用の態様によっては傾斜部１３２を下側にして積み上げても良い。下側にすれば、貝が裏側にくっつく格好になるので外敵から身を守りやすくなる。また、潮流によっては、上面が平らな方が砂が積もらない場合もある。また、上下を交互に入れ替えても良い。更に、藻礁ユニットをそろばん玉のように両面に傾斜を設けたものとしても良い。また、藻礁ユニット１０３の積み上げ数は、貝類育成用藻礁１００を沈設する場所などに応じて適宜変更することができる。また、メッシュ金網１３５による被覆は、底板１０１に対して施してもよい。同様に硫酸第一鉄の塗布は、底板１０１に対して施してもよい。
【００３２】
【実施例】
本発明にかかる貝類育成用藻礁を作成した。藻礁の形状は、図１〜図５に図示したものと同様のものとした。具体的には、底板は、約２．６ｍ四方厚み４０ｃｍの形状とし、重さは約７ｔのものを作成した。ユニットガイドには高さ１．８ｍのＨ鋼を使用した。藻礁ユニットは、外巾２．５ｍ内巾１．３ｍ四方のリング形状とし（リング巾＝（２．５−１．３）／２＝６０ｃｍ）、リング巾の中央で山となるように傾斜を設けた。山の高さを２０ｃｍとしたので、傾斜は約３４°である。藻礁ユニット１体の重さは約２．５ｔとなった。なお、製造費用は、通常の鋼製型枠による魚礁に比してメッシュ金網を用いた本藻礁はその材料費を４割も削減できることが確認できた。藻礁ユニットを４体互い違いに作成した藻礁を、藻の成長期である春から初夏を見越して冬場に近海域に沈設した。沈設後、アラメを植え付けたところ、５月下旬に著しい藻の成長が確認された。また、時期を見計らって放流した稚貝も良好に成長した。
【００３３】
【発明の効果】
以上説明したように、本発明によれば、貝類が外敵から身を守りやすい構造の経済的な藻礁であって、砂場に敷設されても製品寿命が長い藻礁を提供可能となった。また、本発明によれば、貝類の餌となる良好な藻場を経済的に提供可能となった。
【図面の簡単な説明】
【図１】本発明の貝類育成用藻礁の概観斜視図である。
【図２】本発明の貝類育成用藻礁の平面図と正面図である。
【図３】底板とユニットガイドの構成を示した図である。
【図４】藻礁ユニットの構造を示した図である。
【図５】メッシュ金網の概観図および拡大図である。
【図６】藻礁を複数海底に沈設した様子を示した説明図である。
【符号の説明】
１００  貝類育成用藻礁
１０１  底板
１０２  ユニットガイド
１０３  藻礁ユニット
１１１，１３１  鉄筋
１１２  吊り筋
１２１  鋼板
１３１  傾斜部
１３３  平面部
１３４  吊り輪
１３５  メッシュ金網
１３６  リブ
１３７  横ストランド
【図１】
2004187538.tif 000003
【図２】
2004187538.tif 000004
【図３】
2004187538.tif 000005
【図４】
2004187538.tif 000006
【図５】
2004187538.tif 000007
【図６】
2004187538.tif 000008